(57)【要約】【課題】後方排出型の芝刈機において、刈り芝をハウジングから刈り芝収納容器へ迅速に効率良く搬送する。【解決手段】芝刈機１０は、下開放のハウジング２０と、ハウジングの後に配置した刈り芝収納容器と、ハウジング内に収納されて芝草を刈るとともに搬送風Ｗｓを発生する左右２つの刈刃３０Ｌ，３０Ｒと、刈り芝をハウジングの幅方向中央位置から刈り芝収納容器まで搬送風で搬送するシュータとからなる。ハウジングは、搬送風で刈り芝をシュータに導出する刈り芝排出通路２２と、搬送風の風量を増す２つの補助ファン４０Ｌ，４０Ｒを備える。刈り芝排出通路は、ハウジングの内面における前部且つ幅方向中央位置ＣＬに開口している。各補助ファンは、ハウジングの内部で各刈刃の真上に１つずつ配置され、ハウジングの内面で前部に且つ幅方向中央位置に臨む送風口４４を有する。【選択図】図３
2009050222.tif 000002
【特許請求の範囲】
【請求項１】
下面が開放されたハウジングと、
このハウジングの後方に配置された刈り芝収納容器と、
前記ハウジングの内部に収納され、芝草を刈るとともに搬送風を発生するように、互いに略同一面上で回転可能な左右２つの刈刃と、
この２つの刈刃で刈った刈り芝を、前記ハウジングの幅方向中央位置から前記刈り芝収納容器まで前記搬送風によって搬送するためのシュータと、
からなる芝刈機において、
前記ハウジングは、前記搬送風によって前記刈り芝を前記ハウジングから前記シュータに導出する刈り芝排出通路と、前記搬送風の風量を増すための２つの補助ファンを備え、
前記刈り芝排出通路は、前記ハウジングの内面における前部且つ幅方向中央位置に開口しており、
前記２つの補助ファンは、前記ハウジングの内部において前記２つの刈刃の真上に１つずつ配置されるとともに、前記ハウジングの内面における前部に且つ幅方向中央位置に臨む送風口を、それぞれ有していることを特徴とした芝刈機。
【請求項２】
前記ハウジングは、内面における前部に且つ幅方向中央位置に搬送風ガイド部を備え、
この搬送風ガイド部は、前記２つの送風口から吹き出された搬送風を前記刈り芝排出通路の開口部分へ案内するように、前記ハウジングの内面における前部から前記刈り芝排出通路の開口部分へ向かって細くなる、平面視略Ｖ字状に構成されていることを特徴とした請求項１記載の芝刈機。
【発明の詳細な説明】
【技術分野】
【０００１】
本発明は、ハウジングに収納された左右２つの刈刃で刈った刈り芝を、ハウジングの幅方向中央部から後方へ排出するようにした芝刈機、いわゆる、後方排出型の芝刈機に関する。
【背景技術】
【０００２】
芝刈機には、左右２つの刈刃で刈った刈り芝を、搬送風によってハウジングから刈り芝収納容器へ搬送することにより、刈り芝収納容器に収納するものがある。この芝刈機は、２つの刈刃によって芝草を刈るので広範囲の芝草を刈るのに適しており、一般に乗用芝刈機に採用されている。この種の芝刈機は、大きく分類して、側方排出型と後方排出型の、２種類のタイプがある。
【０００３】
側方排出型（サイドディスチャージモデル）の芝刈機は、芝刈機の進行方向に対して、ハウジングの左または右の側部から刈り芝を排出する形式のものであり、刈り芝を刈り芝収納容器へ搬送するためのシュータが、ハウジングの横に配置されている（例えば、特許文献１−３参照。）。
【特許文献１】実開昭６２−１４９９２１号公報
【特許文献２】特開昭６２−１５１１１１号公報
【特許文献３】特開平２−２６５４１１号公報
【０００４】
後方排出型（リヤディスチャージモデル）の芝刈機は、芝刈機の進行方向に対して、ハウジングの幅方向中央部から後方へ刈り芝を排出する形式のものであり、刈り芝を刈り芝収納容器へ搬送するためのシュータが、ハウジングの上方に配置されている（例えば、特許文献４参照。）。なお、特許文献４に示される芝刈機は、シュータの排出口の方向を変えることによって、後方排出型と側方排出型のどちらにも適用できる。
【特許文献４】特開昭６４−１６５１８号公報
【０００５】
ところで、近年、側方排出型の芝刈機においては、作業効率を高めるために、刈り芝を刈り芝収納容器に迅速に収納する技術の開発が進められている。具体的には、上記特許文献１−３に示される側方排出型の芝刈機は、搬送風の風量を増すための補助ファンを設けたというものである。搬送風の風量を増すことによって、刈り芝を刈り芝収納容器に迅速に収納することができる。
【０００６】
例えば、上記特許文献１に示される芝刈機は、シュータにおいて、ハウジングに接続する部分の近傍に、１つの補助ファンが設けられている。
上記特許文献２に示される芝刈機は、ハウジングにおいて、シュータを接続する部分の近傍に、１つの補助ファンが設けられている。特許文献２の補助ファンは、ハウジング内に且つ刈刃の真上に配置されている。
上記特許文献３に示される芝刈機は、特許文献１に示される構成と特許文献２に示される構成とを、組み合わせたものである。
【０００７】
後方排出型の芝刈機においても、作業効率を高めるために、側方排出型の芝刈機のように補助ファンを設けることが望まれている。しかし、後方排出型の芝刈機に対して、上記特許文献１−３に示される技術を単に組み合わせることはできない。
例えば、後方排出型の芝刈機において、上記特許文献２に示される構成のように、ハウジング内に且つ左右一方の刈刃の真上に、１つの補助ファンを配置することが考えられる。しかし、左の刈刃によって刈られた刈り芝を搬送する搬送風の風量と、右の刈刃によって刈られた刈り芝を搬送する搬送風の風量とが、アンバランスになってしまう。このため、刈り芝を効率良く刈り芝収納容器に搬送することができない。
【０００８】
そこで、上記特許文献４に示される後方排出型の芝刈機では、ハウジングの上部にダクト（シュータに相当）が設けられ、このダクトの内部に左右２つのファンが設けられている。ダクトは、２つの刈刃の真上に吸引口が１つずつ設けられ、ハウジングの幅方向中央部から後方へ延びたものである。左右２つのファンは、ダクトの内部において、左右２つの吸引口の真上に１つずつ配置されている。
特許文献４に示される芝刈機によれば、左右２つの刈刃によって刈られた刈り芝は、ハウジングからダクトの各吸引口を通して各ファンで吸引され、ダクトから後方の刈り芝収納容器へ搬送される。
【０００９】
しかしながら、上記特許文献４に示された後方排出型の芝刈機は、ハウジングからダクトの各吸引口を通して２つのファンで吸引するだけのものである。刈り芝をより迅速に搬送するために、搬送風の風量を増すには、各ファンの吸引力を増すことになる。吸引力を増すと、ハウジングの下方から多量の外気が吸引される。ハウジングの下方から多量の外気を吸引するのでは、刈り芝の他に、地面から多量の塵埃や異物も吸引される心配がある。刈り芝をハウジングから刈り芝収納容器へ迅速に且つ効率良く搬送する上で、改良の余地がある。
【発明の開示】
【発明が解決しようとする課題】
【００１０】
本発明は、後方排出型の芝刈機において、左右の刈刃によって刈られた刈り芝を、ハウジングから刈り芝収納容器へ迅速に且つ効率良く搬送することにより、芝刈機の作業効率を高めることができる技術を、提供することを課題とする。
【課題を解決するための手段】
【００１１】
請求項１に係る発明では、下面が開放されたハウジングと、このハウジングの後方に配置された刈り芝収納容器と、ハウジングの内部に収納され、芝草を刈るとともに搬送風を発生するように、互いに略同一面上で回転可能な左右２つの刈刃と、この２つの刈刃で刈った刈り芝を、前記ハウジングの幅方向中央位置から刈り芝収納容器まで搬送風によって搬送するためのシュータと、からなる芝刈機において、
ハウジングは、搬送風によって前記刈り芝をハウジングからシュータに導出する刈り芝排出通路と、搬送風の風量を増すための２つの補助ファンを備え、刈り芝排出通路は、ハウジングの内面における前部且つ幅方向中央位置に開口しており、２つの補助ファンは、ハウジングの内部において２つの刈刃の真上に１つずつ配置されるとともに、ハウジングの内面における前部に且つ幅方向中央位置に臨む送風口を、それぞれ有していることを特徴とする。
【００１２】
請求項２に係る発明では、請求項１において、ハウジングは、内面における前部に且つ幅方向中央位置に、搬送風ガイド部を備え、この搬送風ガイド部は、２つの送風口から吹き出された搬送風を刈り芝排出通路の開口部分へ案内するように、ハウジングの内面における前部から刈り芝排出通路の開口部分へ向かって細くなる、平面視略Ｖ字状に構成されていることを特徴とする。
【発明の効果】
【００１３】
請求項１に係る発明では、後方排出型の芝刈機において、ハウジングの内部に且つ各刈刃の真上に補助ファンが１つずつ配置されている。このため、左の刈刃が回転することによって発生した搬送風に、左の刈刃の真上に配置された左の補助ファンが発生した搬送風を付加することができる。この結果、左の刈刃によって刈られた刈り芝を搬送するための搬送風の風量が増す。右の刈刃と右の補助ファンについても同様であり、右の刈刃によって刈られた刈り芝を搬送するための搬送風の風量は増す。従って、ハウジングの内面における前部且つ幅方向中央位置、つまり、前中央部から後方の刈り芝収納容器まで、搬送風によって刈り芝を搬送するのに、搬送風の総風量（左右の風量の総和）を十分に増すことができる。総風量を増すことによって、刈り芝を刈り芝収納容器に迅速に収納することができる。この結果、芝刈機の作業効率を高めることができる。
【００１４】
しかも、各刈刃によって発生した各々の搬送風に対し、２つの補助ファンの搬送風によって個別に風量を増すことができる。従来のように、ハウジングの下方から多量の外気を吸引する必要はない。このため、搬送風の風量を増しても、地面から多量の塵埃や異物が吸引されることを抑制することができる。
【００１５】
さらには、左の刈刃によって刈られた刈り芝を搬送する搬送風の風量と、右の刈刃によって刈られた刈り芝を搬送する搬送風の風量とを、均等にすることができる。左右の風量が均等なので、左右の刈刃によって刈られた刈り芝は、ハウジング内で左側または右側に滞ることなく、前中央部に集まる。集まった刈り芝を、ハウジングから刈り芝収納容器へ効率良く搬送することができる。
【００１６】
さらに、請求項１に係る発明では、２つの補助ファンの送風口が、共に、ハウジングの内面における前部且つ幅方向中央位置、つまり、前中央部に臨む。このため、左右の補助ファンが発生した補助的な搬送風は、前中央部に向かって吹き出され、左右の刈刃が発生した搬送風に付加される。
補助的な搬送風は、刈り芝をハウジングから刈り芝排出通路を通して刈り芝収納容器へ搬送するときに補助するものであるから、刈り芝排出通路の開口部分の近傍にある前中央部へ吹き出すことが最も好ましい。なぜなら、送風口が前中央部に臨むことによって、送風口から前中央部までの距離は最短になる。このため、送風口が他の向きに配置されている場合に比べて、補助的な搬送風は圧力損失による風速の低下が極めて小さい。従って、搬送風の総風量を極めて効率良く増すことができる。
さらには、左右の補助ファンが発生した各々の補助的な搬送風を、左右の送風口からハウジングの内面における前中央部へ向かって、共に吹き出すことができる。このため、左右の刈刃が発生した搬送風に対して、左右の送風口から補助的な搬送風を均等に付加することができる。このため、左の刈刃によって刈られた刈り芝を搬送する搬送風の風量と、右の刈刃によって刈られた刈り芝を搬送する搬送風の風量とを、より一層均等にすることができる。
【００１７】
請求項２に係る発明では、２つの補助ファンの送風口から吹き出された補助的な搬送風を、平面視略Ｖ字状の搬送風ガイド部によって、刈り芝排出通路の開口部分へ極めてスムーズに案内することができる。このため、補助的な搬送風は圧力損失による風速の低下を極力抑制することができる。従って、搬送風の総風量をより一層効率良く増すことができる。
【発明を実施するための最良の形態】
【００１８】
本発明を実施するための最良の形態を添付図に基づいて以下に説明する。なお、「前」、「後」、「左」、「右」、「上」、「下」は芝刈機を操作する作業者から見た方向に従い、Ｆｒは前側、Ｒｒは後側、Ｌｅは左側、Ｒｉは右側、ＣＬはハウジングの幅方向中央位置（幅方向中心）を示す。
【００１９】
図１は左側方から見た芝刈機１０を示している。図２は図１に示されたハウジング２０を前上方から見た構成を示している。図３は図２に示されたハウジング２０を、前下方から（図２の３矢視方向から）見た構成を示している。
図１〜図３に示すように、芝刈機１０は、作業者が乗車して運転する形式の乗用芝刈機であり、左右２つの刈刃３０Ｌ，３０Ｒで刈った刈り芝を搬送風によって刈り芝収納容器５０へ搬送することにより、刈り芝を刈り芝収納容器５０に収納するものである。
【００２０】
この芝刈機１０は、車体フレーム１１と、車体フレーム１１の前後に備えた左右の前輪１２及び左右の後輪１３と、車体フレーム１１の後上部に備えた乗員用シート１４と、操舵装置１５と、車体フレーム１１の前部に備えた動力源１６と、車体フレーム１１の中央に且つ下部に備えたハウジング２０と、ハウジング２０内に備えた左右２つの刈刃３０Ｌ，３０Ｒ及び左右２つの補助ファン４０Ｌ，４０Ｒと、ハウジング２０の後方に配置され車体フレーム１１の後部に備えた刈り芝収納容器５０と、ハウジング２０から刈り芝収納容器５０まで接続されたシュータ６０とから成る。
動力源１６は、後輪１３を駆動する動力と、刈刃３０Ｌ，３０Ｒ及び補助ファン４０Ｌ，４０Ｒを駆動する動力を発生するものであり、例えばエンジンや電動モータから成る。
【００２１】
図２及び図３に示すように、ハウジング２０は、左右２つの刈刃３０Ｌ，３０Ｒを収納するために、上から見たときに概ね８の字を横向きにした形状に形成されるとともに、下面が開放されている。
このハウジング２０は、幅方向中央位置ＣＬに対して左右対称形に形成されており、左半分の左半体２１Ｌと、右半分の右半体２１Ｒと、幅方向中央位置ＣＬの刈り芝排出通路２２とからなる。左半体２１Ｌは、左の刈刃３０Ｌと左の補助ファン４０Ｌを収納する部分である。右半体２１Ｒは、右の刈刃３０Ｒと右の補助ファン４０Ｒを収納する部分である。刈り芝排出通路２２は、搬送風によって刈り芝をハウジング２０からシュータ６０に導出するものである。シュータ６０は、ハウジング２０の上方に配置されている。
【００２２】
図２に示すように、ハウジング２０を上から見たときに、左半体２１Ｌは、右巻きに渦巻きながら徐々に上方へ隆起するスクロール部２３Ｌを有しており、右半体２１Ｒは、左巻きに渦巻きながら徐々に上方へ隆起するスクロール部２３Ｒを有している。このように、左半体２１Ｌ及び右半体２１Ｒは、刈り芝をハウジング２０内で矢印で示すように、旋回運動させつつ刈り芝排出通路２２へ向かわせるためのスクロール部２３Ｌ，２３Ｒを備えた、渦巻ケーシング（spiral case、scroll case）である。
【００２３】
図４は図３に示されたハウジング２０を、下方から見た構成を示している。図５は図３の５−５線の断面構成を示している。図６は図３の６−６線の断面構成を示している。
図２に示すように、刈り芝排出通路２２は、左右のスクロール部２３Ｌ，２３Ｒの渦巻き終端から上後方へ延び、その後端には、シュータ６０に接続するための放出口２２ａを有している。
図４及び図５に示すように、刈り芝排出通路２２は、ハウジング２０の内面２０ａにおける前部２０ｂ且つ幅方向中央位置ＣＬに、少なくとも開口している。より詳しく述べると、刈り芝排出通路２２は、幅方向中央位置ＣＬにおいて、ハウジング２０の内面２０ａにおける前部２０ｂから後部２０ｃにかけて開口した開口部分２２ｂを有する。
【００２４】
図３〜図６に示すように、左右の刈刃３０Ｌ，３０Ｒは、ハウジング２０の内部に収納され、互いに略同一面上で回転可能に配置されている。具体的には、ハウジング２０は、左半体２１Ｌ及び右半体２１Ｒの各中心ＨＬ，ＨＲに、垂直に配置された左右２つの駆動軸３１Ｌ，３１Ｒを、軸受部３２Ｌ，３２Ｒを介してそれぞれ回転可能に支持している。動力源１６（図１参照）の動力は、ベルト等の伝動部材によって各駆動軸３１Ｌ，３１Ｒに伝達される。２つの駆動軸３１Ｌ，３１Ｒは、ハウジング２０内において先端部に各刈刃３０Ｌ，３０Ｒを別々に取付けたものである。
【００２５】
左右の刈刃３０Ｌ，３０Ｒは、互いに位相が９０°ずれて配置されるとともに、互いに逆向きに回転する。具体的には、刈刃３０Ｌ，３０Ｒを下から見たときに、左の刈刃３０Ｌは反時計回り（矢印Ｒｕ方向）に回転し、右の刈刃３０Ｒは時計回り（矢印Ｒｃ方向）に回転する。
【００２６】
左の刈刃３０Ｌは、左の駆動軸３１Ｌに対して左右対称形に形成された、細長いブレードであり、回転方向に対して前縁に刃３０ａを有するとともに、後縁にエアリフト部３０ｂを有している。刈刃３０Ｌが矢印Ｒｕ方向へ回転することにより、刃３０ａによって芝草を刈るとともに、エアリフト部３０ｂによって左のスクロール部２３Ｌに旋回する空気の流れ、すなわち、旋回流Ｗｓ（搬送風Ｗｓ）を発生させることができる。
右の刈刃３０Ｒも、左の刈刃３０Ｌと同様の構成であり、刃３０ａとエアリフト部３０ｂを有しており、エアリフト部３０ｂによって右のスクロール部２３Ｒに旋回する空気の流れ、すなわち、旋回流Ｗｓ（搬送風Ｗｓ）を発生させることができる。
【００２７】
左右の補助ファン４０Ｌ，４０Ｒは、左右の刈刃３０Ｌ，３０Ｒが発生した搬送風Ｗｓの風量を増すために設けられたものであり、ハウジング２０の内部において左右の刈刃３０Ｌ，３０Ｒの真上に１つずつ配置されている。
【００２８】
詳しく述べると、左の補助ファン４０Ｌは、左半体２１Ｌの内部において左の刈刃３０Ｌの真上に配置されており、ファンロータ４１とファンケース４２とからなる。ファンロータ４１は、多数のブレードを有するとともに、左の駆動軸３１Ｌに取り付けられている。ファンケース４２は、ファンロータ４１の外周囲を覆う円筒状の部材であって、左半体２１Ｌの天板２１ａに取り付けられるとともに、左刈刃３０Ｌに臨む面が開放されている。天板２１ａは、補助ファン４０Ｌが吸気する吸気口４３（図６参照）を有している。さらに、ファンケース４２は、筒状の側部に送風口４４を有している。送風口４４は、補助ファン４０Ｌで発生した補助的な搬送風Ｗａを吐出するものである。左の補助ファン４０Ｌは、矢印Ｒｕ方向へ回転することにより、外気を吸気口４３から吸引し、補助的な搬送風Ｗａを送風口４４から吐出する。
【００２９】
右の補助ファン４０Ｒも、左の補助ファン４０Ｌと同様の構成であって、右半体２１Ｒの内部において右の刈刃３０Ｒの真上に配置されており、ファンロータ４１とファンケース４２とからなる。右の補助ファン４０Ｒは、矢印Ｒｃ方向へ回転することにより、外気を吸気口４３から吸引し、補助的な搬送風Ｗａを送風口４４から吐出する。
【００３０】
左右の補助ファン４０Ｌ，４０Ｒにおける各送風口４４，４４は、ハウジング２０の内面２０ａにおける前部２０ｂに且つ幅方向中央位置ＣＬ、つまり、前中央部に臨んでいる。このように、左右の補助ファン４０Ｌ，４０Ｒは、ハウジング２０の内面における前部に且つ幅方向中央位置ＣＬに臨む送風口４４，４４を、それぞれ有している。図４に示すように、送風口４４，４４の開口角度θは、９０°〜１１０°の範囲に設定することが好ましい。
【００３１】
ハウジング２０は、内面２０ａにおける前部２０ｂに且つ幅方向中央位置ＣＬに、搬送風ガイド部２４を備えている。この搬送風ガイド部２４は、左右２つの送風口４４，４４から吹き出された補助的な搬送風Ｗａを刈り芝排出通路２２の開口部分２２ｂへ案内するように、ハウジング２０の内面２０ａにおける前部２０ｂから刈り芝排出通路２２の開口部分２２ｂへ向かって細くなる、平面視略Ｖ字状に構成されている。
【００３２】
次に、上記構成の芝刈機１０の作用を説明する。
ここで、刈刃３０Ｌ，３０Ｒによって発生する搬送風Ｗｓのことを「主の搬送風Ｗｓ」と言う。補助ファン４０Ｌ，４０Ｒによって発生する補助的な搬送風Ｗａのことを「補助の搬送風Ｗａ」と言う。主の搬送風Ｗｓに補助の搬送風Ｗａが付加されて風量が増した複合的な搬送風Ｗｔのことを「複合の搬送風Ｗｔ」と言う。
【００３３】
後方排出型芝刈機１０は、刈刃３０Ｌ，３０Ｒを回転させることにより、芝草を刈取るとともに、ハウジング２０内に主の搬送風Ｗｓを発生させ、刈り芝を刈り芝収納容器５０に送り込むことができる。また、芝刈機１０を前方へ自走させることで、芝刈り作業を進めることができる。
【００３４】
芝刈機１０において、ハウジング２０の内部に且つ各刈刃３０Ｌ，３０Ｒの真上に補助ファン４０Ｌ，４０Ｒが１つずつ配置されている。このため、左の刈刃３０Ｌが回転することによって発生した主の搬送風Ｗｓに、左の刈刃３０Ｌの真上に配置された左の補助ファン４０Ｌが発生した補助の搬送風Ｗａを付加することができる。つまり、主の搬送風Ｗｓは、補助の搬送風Ｗａが付加されることによって、複合の搬送風Ｗｔとなる。この結果、左の刈刃３０Ｌによって刈られた刈り芝を搬送するための主の搬送風Ｗｓ（複合の搬送風Ｗｔ）の風量が増す。
右の刈刃３０Ｒと右の補助ファン４０Ｒについても同様であり、右の刈刃３０Ｒによって刈られた刈り芝を搬送するための主の搬送風Ｗｓ（複合の搬送風Ｗｔ）の風量は増す。
【００３５】
従って、ハウジング２０の内面２０ａにおける前部２０ｂ且つ幅方向中央位置ＣＬ、つまり、前中央部から後方の刈り芝収納容器５０まで、主の搬送風Ｗｓによって刈り芝を搬送するのに、搬送風Ｗｓの総風量（左右の風量の総和）を十分に増すことができる。総風量を増すことによって、刈り芝を刈り芝収納容器５０に迅速に収納することができる。この結果、芝刈機１０の作業効率を高めることができる。
【００３６】
しかも、各刈刃３０Ｌ，３０Ｒによって発生した各々の主の搬送風Ｗｓに対し、２つの補助ファン４０Ｌ，４０Ｒの補助の搬送風Ｗａによって個別に風量を増すことができる。従来のように、ハウジング２０の下方から多量の外気を吸引する必要はない。このため、主の搬送風Ｗｓの風量を増しても、地面ＧＦ（図１参照）から多量の塵埃や異物が吸引されることを抑制することができる。
【００３７】
さらには、左の刈刃３０Ｌによって刈られた刈り芝を搬送する主の搬送風Ｗｓの風量と、右の刈刃３０Ｒによって刈られた刈り芝を搬送する主の搬送風Ｗｓの風量とを、均等にすることができる。左右の風量が均等なので、左右の刈刃３０Ｌ，３０Ｒによって刈られた刈り芝は、ハウジング２０内で左側または右側に滞ることなく、前中央部に集まる。集まった刈り芝を、ハウジング２０から刈り芝収納容器５０へ効率良く搬送することができる。
【００３８】
さらには、２つの補助ファン４０Ｌ，４０Ｒの送風口４４，４４が、共に、ハウジング２０の内面２０ａにおける前部２０ｂ且つ幅方向中央位置ＣＬ、つまり、前中央部に臨む。このため、左右の補助ファン４０Ｌ，４０Ｒが発生した補助の搬送風Ｗａは、前中央部に向かって吹き出され、左右の刈刃３０Ｌ，３０Ｒが発生した主の搬送風Ｗｓに付加される。
【００３９】
補助の搬送風Ｗａは、刈り芝をハウジング２０から刈り芝排出通路２２を通して刈り芝収納容器５０へ搬送するときに補助するものであるから、刈り芝排出通路２２の開口部分２２ｂ近傍にある前中央部へ吹き出すことが最も好ましい。なぜなら、送風口４４，４４が前中央部に臨むことによって、送風口４４，４４から前中央部までの距離は最短になる。このため、送風口４４，４４が他の向きに配置されている場合に比べて、補助的な補助の搬送風Ｗａは圧力損失による風速の低下が極めて小さい。従って、主の搬送風Ｗｓの総風量を極めて効率良く増すことができる。
【００４０】
さらには、左右の補助ファン４０Ｌ，４０Ｒが発生した各々の補助的な搬送風Ｗａ，Ｗａを、左右の送風口４４，４４からハウジング２０の内面２０ａにおける前中央部へ向かって、共に吹き出すことができる。このため、左右の刈刃３０Ｌ，３０Ｒが発生した搬送風Ｗａ，Ｗａに対して、左右の送風口４４，４４から補助的な搬送風Ｗａ，Ｗａを均等に付加することができる。このため、左の刈刃３０Ｌによって刈られた刈り芝を搬送する搬送風Ｗｓの風量と、右の刈刃３０Ｒによって刈られた刈り芝を搬送する搬送風Ｗｓの風量とを、より一層均等にすることができる。
【００４１】
さらには、２つの補助ファン４０Ｌ，４０Ｒの送風口４４，４４から吹き出された補助の搬送風Ｗａを、平面視略Ｖ字状の搬送風ガイド部２４によって、刈り芝排出通路２２の開口部分２２ｂへ極めてスムーズに案内することができる。このため、補助の搬送風Ｗａは圧力損失による風速の低下を極力抑制することができる。従って、主の搬送風Ｗｓの総風量をより一層効率良く増すことができる。
【００４２】
なお、本発明では、左右の補助ファン４０Ｌ，４０Ｒの種類は任意である。
【産業上の利用可能性】
【００４３】
本発明の芝刈機１０は、左右２つの刈刃３０Ｌ，３０Ｒを備えた乗用芝刈機に好適である。
【図面の簡単な説明】
【００４４】
【図１】本発明に係る芝刈機の左側面図である。
【図２】図１に示されたハウジングを前上方から見た構成図である。
【図３】図２に示されたハウジングを３矢視線方向から見た構成図である。
【図４】図３に示されたハウジングを下方から見た構成図である。
【図５】図３の５−５線断面図である。
【図６】図３の６−６線断面図である。
【符号の説明】
【００４５】
１０…芝刈機、２０…ハウジング、２０ａ…内面、２０ｂ…前部、２０ｃ…後部、２２…刈り芝排出通路、２２ｂ…開口部分、２４…搬送風ガイド部、３０Ｌ，３０Ｒ…刈刃、４０Ｌ，４０Ｒ…補助ファン、４４…送風口、５０…刈り芝収納容器、６０…シュータ、ＣＬ…ハウジングの幅方向中央位置、Ｗａ…補助の搬送風、Ｗｓ…主の搬送風、Ｗｔ…複合の搬送風。
【図１】
2009050222.tif 000003
【図２】
2009050222.tif 000004
【図３】
2009050222.tif 000005
【図４】
2009050222.tif 000006
【図５】
2009050222.tif 000007
【図６】
2009050222.tif 000008